(57)【特許請求の範囲】
【請求項１】
ハウジング（１，１８）と、該ハウジング（１，１８）内に配置された、円板状のフランジ部（１３）を有していてフィルムを支持する細条ベース（８）が巻装される供給スプール（４）、及び、円板状のフランジ部（１５）を有して上記供給スプール（４）からその径方向に変位した位置に配され、上記フィルムから分離された細条ベース（８）を受ける巻取スプール（５）と、上記ハウジング（１，１８）から突出し、上記細条ベース（８）の向きを変えるとともに上記細条ベース（８）の上記フィルムにより被覆された面を対象物に向かわせる押圧部（６，２２）とを備え、
上記供給スプール（４）における円板状のフランジ部（１３）にスリット（１４）が設けられるとともに、上記巻取スプール（５）における円板状のフランジ部（１５）が、その厚さが上記スリット（１４）の幅より極僅かに大とされるとともに、その周縁部分が粗表面を有するもとで、該周縁部分が上記スリット（１４）に係合できるものとされ、上記スリット（１４）に上記円板状のフランジ部（１５）の周縁部分が係合して該スリット（１４）内に位置固定されることにより、上記供給スプール（４）と上記巻取スプール（５）とが互いに摩擦接触するものとされて両者間に滑り継手を兼ねる駆動連結部（１３，１４，１５）が形成され、上記細条ベース（８）が上記供給スプール（４）から上記押圧部（６，２２）の周囲を経て上記巻取スプール（５）へと案内されるべく引き出されることによって上記供給スプール（４）が駆動されるとき、上記駆動連結部（１３，１４，１５）が上記巻取スプール（５）を上記細条ベース（８）に常時張力が作用することになる回転速度をもって駆動することを特徴とする、フィルムを細条ベースから対象物へと送り出す手動装置。
【請求項２】
上記供給スプール（４），巻取スプール（５）及び押圧部（６，２２）が、着脱可能カートリッジ（１９）内に設けられたことを特徴とする請求項１記載の手動装置。
【請求項３】
上記着脱可能カートリッジ（１９）が、上記ハウジング（１８）に設けられた挿入開口部（２４）を通して上記ハウジング（１８）内に挿入され得るものであることを特徴とする請求項２記載の手動装置。
【請求項４】
上記着脱可能カートリッジ（１９）が、上記ハウジング（１８）内に挿入されるとき上記ハウジング（１８）に設けられた挿入開口部（２４）を閉塞する側壁部（２５）を備えていることを特徴とする請求項３記載の手動装置。
【請求項５】
上記着脱可能カートリッジ（１９）が、使用状態位置に置かれるとき、上記ハウジング（１８）内に設けられた係合部に係合し得るものであることを特徴とする請求項４記載の手動装置。
【請求項６】
上記巻取スプール（５）が、上記細条ベース（８）に張力を作用させる張力付与手段を備えていることを特徴とする請求項２から請求項５までのいずれかに記載の手動装置。
【請求項７】
上記巻取スプール（５）が、上記細条ベース（８）が送り出されることになる方向の回転を防ぐ逆転防止手段を備えていることを特徴とする請求項２から請求項６までのいずれかに記載の手動装置。
【発明の詳細な説明】
【０００１】
本発明は、接着フィルム，被覆フィルム，着色フィルム等のフィルムを支持する細条ベースが巻装される供給スプールとフィルムから分離された細条ベースを受ける巻取スプールとを備えた、フィルムを細条ベースから対象物へと送り出す手動装置に関する。
【０００２】
この種の手動装置として、例えば、供給スプールと巻取スプールとから成る２つのスプール体が、互いに直接摩擦接触するものとされたものが、本願出願人によって出願されたドイツ連邦共和国特許ＤＥ−Ｃ２−４２２０７１２により知られている。このような手動装置にあっては、駆動連結部及び滑り継手が小型で簡単な機構部品によって一体に形成され、それゆえ、駆動連結部及び滑り継手を形成するための他の部品が必要とされず、単純な製造工程の実現と製造コストの低減とが達成される。
【０００３】
ドイツ連邦共和国特許ＤＥ−Ｃ２−４２２０７１２に記載されている手動装置における一対のスプールの夫々は、それらの間に細条ベースが巻き取られて巻装される２個の円板状のフランジ部が突出するハブ部を備えている。滑り継手を成す駆動連結部は、一方のスプールにおける円板状のフランジ部の内側表面とそれに対向する他方のスプールにおける円板状のフランジ部の外側表面とに夫々設けられる、少なくとも一組の相互係合摩擦面によって形成される。斯かる相互係合摩擦面における摩擦作用による一対のスプールの駆動を確実なものとするためには、一組の相互係合摩擦面を互いに押し付け合う押圧力が必要とされる。また、一組の相互係合摩擦面の一方が他方に対して横方向の弾性押圧力を作用させるものである場合には、それによっても一組の相互係合摩擦面を互いに押し付け合う状態が得られる。
【０００４】
また、ドイツ連邦共和国実用新案ＤＥ−Ｕ１−９４０７３０５は、上述の類の手動装置であって、供給スプールと巻取スプールとの間の駆動連結部が、巻取スプールに対してその径方向に撓み可能に配された摩擦ホイール部材によって形成され、この摩擦ホイール部材が、ホイール外周面を介して、供給スプールに対して同軸的に配置されたカウンターホイールの外周面に当接することによって、摩擦力伝達及び付与領域を生じさせるようにしたものを開示している。この手動装置にあっては、簡単な方法によって、細条ベースの最適張力を非常に狭い公差範囲内に維持できるようにすることが意図されている。
【０００５】
上述のような従来技術に鑑み、本発明の目的は、前述のような形式をとる手動装置について、一体化された滑り継手を兼ねる駆動連結部における摩擦駆動に関しての更なる改良を提供することにある。
【０００６】
この目的は、手動装置が特許請求の範囲における請求項１に記載された特徴を備えることによって達成される。本発明に従って形成される一体化された滑り継手を兼ねる駆動連結部は、相互係合するスプールとスプールとの間の摩擦接触を確実なものとするための特別な仕掛けは必要とされない。これは、本発明に従って供給スプールと巻取スプールとの間に形成される一体化された滑り継手を兼ねる駆動連結部にあっては、巻取スプールにおけるフランジ部が、その厚さが供給スプールにおけるフランジ部に設けられたスリットの幅より極僅かに大とされたもとで、その周縁部分が供給スプールにおけるフランジ部に設けられたスリットに係合してそのスリット内に位置固定されるものとされ、それにより、供給スプールと巻取スプールとが互いに摩擦接触するものとされて、常時、トルクの均一伝達状態が確保されるからである。
【０００７】
本発明のより発展させた姿にあっては、供給スプール，巻取スプール及び押圧部が、着脱可能カートリッジと一体化されて形成され、その着脱可能カートリッジが、ハウジングの後端部に設けられた挿入開口部を通じてハウジング内に挿入されるようになされてもよい。
【０００８】
また、巻取スプールが細条ベースに張力を作用させる張力付与手段を備えていることが更に望ましく、その際には、巻取スプールに、細条ベースが送り出されることになる方向の回転を防ぐ逆転防止手段が設けられるのがよい。
【０００９】
本発明の更なる変更及び展開については、特許請求の範囲における従属形式項の主題とされている。
【００１０】
以下に、添付の図面を参照しつつ、好適な実施の形態を取り上げて本発明を更に詳細に説明する。
【００１１】
先ず、本発明に係るフィルムを細条ベースから対象物へと送り出す手動装置の第１の実施例について、図１及び図２に夫々示される二つの断面図を参照して詳細に説明する。なお、本発明に係るフィルムを細条ベースから対象物へと送り出す手動装置は、フィルムを支持する細条ベースを案内する押圧細条部材を備えているものは、特に、被覆フィルム及び／または着色フィルムを対象物へと送り出す場合に適しており、また、押圧細条部材に代えて押圧ローラを備えているものは、特に、接着フィルムを対象物へと送り出す場合に適している。
【００１２】
第１の実施例は、実質的に、下側ハウジング半体２及び上側ハウジング半体３から成るハウジング１と、ハウジング１内に回転可能に取り付けられた供給スプール４と、ハウジング１内に回転可能に取り付けられた巻取スプール５と、ハウジング１の前方下側隅部に設けられた出口開口部７を通じてハウジング１内から外部に突出する押圧細条部材６とを備えて構成されている。一方の面においてフィルムを支持する細条ベース８が、供給スプール４から押圧細条部材６の周囲を経て巻取スプール５へと案内される。
【００１３】
このような第１の実施例を構成する上述の部品更には後述される部品は、全てプラスチック材料製とされ、細条ベース８を除いて、射出成形によって製造することができる。
【００１４】
供給スプール４及び巻取スプール５は、互いに径方向に変位して配置され、下側ハウジング半体２内に設けられた中空軸部９及び１０に夫々回転可能に取り付けられる。少なくとも供給スプール４が、中空軸部９の周囲に中空軸部９と同心状に設けられた突出部１１に当接する状態のもとに、供給スプール４及び巻取スプール５のハウジング１内での位置決めがなされ、それによって、細条ベース８が、ハウジング１の中央を後述される細条押圧部材６の高さ位置をとって正確に走行するものとされる。上側ハウジング半体３には、２本のピン１６及び１７が設けられており、これらのピン１６及び１７が、下側ハウジング半体２に設けられた中空軸部９及び１０における中空部に夫々押し込まれることによって、ハウジング１が確実に閉塞される状態がとられる。
【００１５】
供給スプール４にあっては、その軸方向上下端部に、円板状の上側フランジ部１２及び下側フランジ部１３が夫々設けられている。供給スプール４は、上側フランジ部１２及び下側フランジ部１３を含めて一体成形されるのが好ましい。下側フランジ部１３にはスリット１４が設けられており、このスリット１４は、深さが約５ｍｍとされ、また、幅が約１ｍｍとされる。上側フランジ部１２は、その直径が下側フランジ部１３の直径より幾分小とされるものとされ、それによって、組立間隙が形成されるようになされている。細条ベース８は、上側フランジ部１２及び下側フランジ部１３の間を案内され、供給スプール４には下側フランジ部１３の外周端位置まで巻き上げられ得ることになる。
【００１６】
巻取スプール５にあっては、その軸方向下端部に、円板状のフランジ部１５が設けられている。巻取スプール５も、フランジ部１５を含めて一体成形されるのが好ましい。フランジ部１５の外径寸法は、供給スプール４に設けられた上側フランジ部１２及び下側フランジ部１３の夫々の外径寸法より相当小とされる。そして、フランジ部１５の厚さ、下側フランジ部１３及びフランジ部１５の夫々の外径寸法、及び、供給スプール４及び巻取スプール５の間隔は、フランジ部１５の周縁部分が下側フランジ部１３に設けられたスリット１４に係合できるように選定される。その際、巻取スプール５に設けられたフランジ部１５の厚さは、供給スプール４における下側フランジ部１３に設けられたスリット１４の幅より極僅かに大とされ、また、巻取スプール５におけるフランジ部１５の周縁部分の表面が粗面とされて、供給スプール４と巻取スプール５とが互いに直接摩擦接触するものとされる。
【００１７】
このようにされることにより、供給スプール４と巻取スプール５との間に生じる摩擦回転移動が、供給スプール４から巻取スプール５へのトルク伝達により、巻取スプール５を、細条ベース８に常時微細な張力を作用させるが細条ベース８が引き千切られる虞がないようにする回転速度をもって、駆動する状態が確実に得られる。斯かる摩擦駆動を生じる滑り継手を兼ねる駆動連結部１３，１４及び１５によれば、従来技術に比して、互いに摩擦接触している部材に特別な工夫が必要とされないという利点が得られる。また、巻取スプール５におけるフランジ部１５の周縁部分が、供給スプール４における下側フランジ部１３に設けられたスリット１４内に位置固定されるので、供給スプール４と巻取スプール５との間に常時均一の摩擦力が得られる。
【００１８】
押圧細条部材６は、ハウジング１内に位置せしめられる一端部に、断面が、例えば、矩形とされる多角形を成すものとされ、両端部が下側ハウジング半体２及び上側ハウジング半体３に夫々設けられた凹部２９及び３０に回転しない状態をもって収容されたピン３１を備えている。押圧細条部材６の押圧端部側部分は、ピン３１に固定的に連結されているのが好ましく、押圧端部側部分自体は軟質で変形可能なプラスチック材料製とされる。
【００１９】
また、押圧端部側部分が、剛直に形成され、弾性中間部材を介してピン３１に連結されるようになされてもよい。
【００２０】
次に、本発明に係るフィルムを細条ベースから対象物へと送り出す手動装置の第２の実施例について、図３及び図４に夫々示される二つの断面図を参照して詳細に説明する。第２の実施例は、第１の実施例とは異なり、実質的に、着脱可能カートリッジ１９が挿入開口部２４を通じて後方から挿入されるハウジング１８を備えて構成される。
【００２１】
着脱可能カートリッジ１９は、供給スプール４及び巻取スプール５を夫々受ける二個の中空軸部９及び１０が形成された支持板部材２０によって構成され、全体が一体形成されるのが望ましい。供給スプール４及び巻取スプール５は、前述の第１の実施例におけるものと同様に形成され、特に、摩擦駆動を生じる滑り継手を兼ねる駆動連結部１３，１４及び１５を第１の実施例におけるものと同様とする。そして、図３及び図４に示される第２の実施例は、接着フィルムを細条ベース８から対象物へと送り出すことが意図されたものである。それゆえ、着脱可能カートリッジ１９は、前端部に、押圧細条部材６に代えて、回転する押圧ローラ２２を備えており、この押圧ローラ２２の回転軸は、フォーク状とされた収容部２１内に収容される。
【００２２】
図３に示される如くに、供給スプール４及び巻取スプール５は、夫々二個の中空軸部９及び１０に取り付けられ、供給スプール４は、中空軸部９の上方外面部に設けられた突出部２７に係合する。また、図４に示される如くに、供給スプール４，巻取スプール５及び押圧ローラ２２を伴った着脱可能カートリッジ１９は、ハウジング１８に設けられた挿入開口部２４を通じて後方側からハウジング１８内へ挿入される。その際、押圧ローラ２２がハウジング１８の前端部の出口開口部２３から外部に突出するとともに、ハウジング１８の後端部における挿入開口部２４が着脱可能カートリッジ１９を構成する支持板部材２０に形成された側壁部２５によって閉塞されるまで、着脱可能カートリッジ１９がハウジング１８内に挿入される。このようにして着脱可能カートリッジ１９がハウジング１８内に挿入されて、第２の実施例が使用状態とされるとき、着脱可能カートリッジ１９は、ハウジング１８内に設けられた係合部（図示されていない）に係合する。着脱可能カートリッジ１９をハウジング１８内から引き出す際には、着脱可能カートリッジ１９に引張り力を加えることにより、あるいは、それに加えて係合解除部（図示されていない）を作動させることにより、着脱可能カートリッジ１９を係合部から取り外すことができる。
【００２３】
また、巻取スプール５の上方軸端部には、球面状内面を有した凹部２６が設けられている。着脱可能カートリッジ１９がハウジング１８内に挿入されるとき、ユーザは、ハウジング１８の外側からハウジング１８に設けられた開口部を通じて、凹部２６に自由に触れることができる。この凹部２６を利用して、ユーザはハウジング１８の外側から巻取スプール５を細条ベース８を巻き取る方向に回転させることができ、それにより、必要に応じて、細条ベース８に手動により張力を作用させることができる。巻取スプール５及びそれが取り付けられる中空軸部１０には、細条ベース８が巻取スプール５から送り出されることになる方向の回転を防ぐ逆転防止手段が設けられるのが良い。斯かる逆転防止手段は、例えば、中空軸部１０の外周面部において回転する鋸歯構造を有する歯付部材と、巻取スプール５の内周面部において回転する歯付部材であって、中空軸部１０における歯付部分に係合するものとによって形成される。
【００２４】
上述の第２の実施例にあっては、修正フィルムを支持する細条ベース８が用いられる手動装置を形成すべく、押圧細条部材６を押圧ローラ２２に代えて使用してもよいことは明らかである。さらに、前述の第１の実施例において、巻取スプール５に、細条ベース８に手動により張力を作用させることができる手段を設けることも可能である。
【図面の簡単な説明】
【図１】  本発明に係る手動装置の第１の実施例についての図２のＩ−Ｉ線に沿う断面図である。
【図２】  図１に示される手動装置についての図１のＩＩ−ＩＩ線に沿う断面図である。
【図３】  本発明に係る手動装置の第２の実施例についての第１の組立段階を示す断面図である。
【図４】  図３に示される手動装置についての第２の組立段階を示す断面図である。
【符号の説明】
１，１８・・・ハウジング，２・・・下側ハウジング半体，３・・・上側ハウジング半体，４・・・供給スプール，５・・・巻取スプール，６・・・押圧細条部材，７，２３・・・出口開口部，８・・・細条ベース，９，１０・・・中空軸部，１１，２７・・・突出部，１２・・・上側フランジ部，１３・・・下側フランジ部，１４・・・スリット，１５・・・フランジ部，１６，１７・・・ピン，１９・・・着脱可能カートリッジ，２０・・・支持板部材，２１・・・収容部，２２・・・押圧ローラ，２４・・・挿入開口部，２５・・・側壁部，２６・・・凹部
【図１】
0004331897.tif 000002
【図３】
0004331897.tif 000003
【図４】
0004331897.tif 000004
【図２】
0004331897.tif 000005